(57)【要約】【課題】手軽に衛生的にワンタッチで飲用することのできる、飲料容器を提供する。【解決手段】飲料を密閉保存するための容器本体外面にストロー口を設けるとともに、該ストロー口に近接して上方に位置する回動体を設け、回動体に接続される管状の外部ストローを設けるとともに、該ストローと容器本体の接続手段を設け、一方、容器本体内部に内部ストローを設けて、内部ストローの下端を開放し、上端を密閉し、内部ストロー適所に連通部を形成するとともに、該連通部をストロー口の直下に位置させ、外部ストローおよび回動体の回動にてストロー口の封印を破壊することにより、外部ストローと内部ストローの連通を可能とするよう構成したことを特徴とする。【選択図】      図９
2005170504.tif 000002
【特許請求の範囲】
【請求項１】
飲料を密閉保存するための容器本体外面にストロー口を設けるとともに、該ストロー口に近接して上方に位置する回動体を設け、回動体に接続される管状の外部ストローを設けるとともに、該ストローと容器本体の接続手段を設け、一方、容器本体内部に内部ストローを設けて、内部ストローの下端を開放し、上端を密閉し、内部ストロー適所に連通部を形成するとともに、該連通部をストロー口の直下に位置させ、外部ストローおよび回動体の回動にてストロー口の封印を破壊することにより、外部ストローと内部ストローの連通を可能とするよう構成したことを特徴とするワンタッチストロー付き飲料容器。
【発明の詳細な説明】
【技術分野】
【０００１】  この発明は、紙パック等の飲料容器の飲料液を飲用するときに、あらかじめ容器の外に装着されたストローを用いてワンタッチの操作にて、簡単・確実・衛生的に飲用することのできるストロー付きの飲料容器に関する。
【背景技術】
【０００２】  従来より、ジュース類その他の飲料容器としては、容器外面にストローを貼り付けたものが多用されており、本発明にて示すように、容器内外にストローを装着してワンタッチで飲用できる機能を有する飲料容器は現在のところ見当たらない。
【発明の開示】
【発明が解決しようとする課題】
【０００３】  前記の従来のストロー付き飲料容器は、直方体形状の紙パック外面にストローを斜めにセロファン等を用いて封入貼着したものであり、以下のような問題点を有している。
１．飲用のときはセロファンの端をつまんで引き剥がし、袋状のセロファンの端を破り捨  てて中のストローを取りだし、容器上部にあるストロー口にストロー下端を当てて押し  こんで飲用するため、多くの手間が必要である。また、伸縮二段型のストローのため、  押しこむ前にストローを伸ばさなければならない。
２．飲用の際にはストローをストロー口に当てて押しこむため、暗所での使用、幼児や目  の不自由な人の使用、走行中の自動車内での使用のときは、その操作を行いにくい。
３．使用時は容器とストローが分離しているので、ストローを落とすなど衛生面での問題  がある。
４．ストローをセロファン袋から取り出すときは、容器を手元に置かなければならない。
また、飲用途中で休止するときに、容器が倒れたり傾いたりしたときに内容液が外部に  漏洩する恐れがある。
本発明は、以上のような従来からのストロー付き飲料容器に関わる課題を解決するために発明されたもので、容器の内外部にストローを設けてワンタッチ操作で飲用することができるとともに、簡単な操作で飲料の漏洩を防止することのできる新規かつ有用なる飲料容器を提供することを目的としたものである。
【課題を解決するための手段】
【０００４】  課題を解決する手段として本発明は、回動板と外部ストローおよび内部ストローを設けてその主要部を構成した。
すなわち、飲料を密閉保存するための容器本体外面にストロー口を設けるとともに、該ストロー口に近接して上方に位置する回動体を設け、回動体に接続される管状の外部ストローを設けるとともに、該ストローと容器本体の接続手段を設け、一方、容器本体内部に内部ストローを設けて、内部ストローの下端を開放し、上端を密閉し、内部ストロー適所に連通部を形成するとともに、該連通部をストロー口の直下に位置させ、外部ストローおよび回動体の回動にてストロー口の封印を破壊することにより、外部ストローと内部ストローの連通を可能とするよう構成する。
本発明は、以上の構成よりなるワンタッチストロー付き飲料容器である。
【発明の効果】
【０００５】  本発明によれば、回動板の回動にてストロー口の封印を破るとともに、容器外部の外部ストローと容器内部の内部ストローを連通させて飲料を飲用することができるため、従来手段のような煩瑣な作業が不要となり、ワンタッチで手軽に飲むことのできる新規かつ有用なる飲料容器を提供することができる。また、飲用途中で外部ストローを元の位置に戻すことにより、開放されたストロー口のすぐ近くにストロー口と近似の外径を有する回動板が位置するため、不用意に容器を倒した場合の飲料の漏れを極少とすることができる。
【発明を実施するための最良の形態】
【０００６】  以下、本発明の実施形態について説明する。
図において、１は直方体形状の容器本体で、厚紙の内面にフィルム状の薄膜による内部シーリング２が貼着されている。また容器本体上部外面にはストロー外径に近似の内径を有するストロー口３が設けられる。このストロー口は容器本体の厚紙部分に孔を有し、かつ内部シーリングにて封をされた状態であり、通常容器ではストローの下端をこのストロー口にあてがい、押しこむことでシーリングが破れてストローを容器内部に挿入することができる。
４は半円弧状の当接板で、ストロー口よりわずかの距離を持ってその近傍に固着立設される。５は回動体としての円板状の回動板で、ストロー口よりわずかに小さい外径を有してストロー口のやや上方に位置している。回動板下面にはその外周に沿って三角板状の歯部６が複数個周設される。回動板はその下面の歯部が内部シーリングよりわずかに上方に位置する状態である。７は接続板で、小細長板体にて断面三角形状を有し、その先端部は斜方に切り欠かれるとともに先端近傍には段部を有し、この段部を介して回動板上面中央にその先端部分が固着され、残りの部分下部は適当長の管体による外部ストロー８の内面下部に固着される。９は接続手段としての接続フィルムで、外部ストロー前部下面にその一部が貼着され、他部は容器本体上面の対応個所に貼着される。
１０はセロファンによる封入紙で、当接板、回動板、外部ストローを覆うように容器本体上面に貼着される。なおこの封入紙の一部は剥ぎ取りの便を考えて非貼着となっている。１１は内部ストローで、容器本体内部の側面から上部にかけて貼着される。【０００７】  この内部ストローの貼着は図７に示すように、内部シーリング破壊にて内外部のストローが連通可能となる断面略半円形の貼着であるとともに、その一部には蛇腹部１２を有し、この蛇腹部が容器本体の角部にフィットする。また、内部ストロー貼着位置はストロー口に近い位置の内部側面であり、本実施形態では容器本体の平面視長辺部分からストロー口に達する位置である。なお内部ストローの下端は容器本体底部よりやや上方に位置する開口部であり、上端は封入紙１３により封入密閉される。
本発明を使用するには、まず封入紙１０の端をつまんで容器本体から引き剥がし、外部ストローの端をつまんで回動させると、この外部ストローに接続されている回動板は接続フィルムの折り返し部分を回動中心として回動する。このとき、回動板下面の歯部にてストロー口の内部シーリングは破壊され、外部ストローは当接板内面およびストロー口をふさぐようにストロー口外周近傍に接して止まる。
この状態において外部ストローは図９に示すように立ち上がっており、このストロー口下方には図６に示すように内部ストローが位置し、またこの内部ストローは断面略半円弧状に貼着されているため、上記操作にて外部ストローと内部ストローは連通する。
そして、内部ストロー下端は容器本体底面よりわずかの距離を持って上方に位置するとともに開口状態であり、上端は封入紙にて密閉状態のため、立ち上がった外部ストローから飲料を吸飲することができる。
飲用途中で休止するときは、外部ストローを元の位置に戻すと、ストロー口のすぐ上方に回動板が近接してストロー口をふさぐように位置するため、誤って容器を倒しても飲料の漏れを極少とすることができる。【０００８】  図８および図１０は本発明の他例を示すものである。
１５は外部ストロー先端部近傍中央上部に設けられる小凸部、１６は当接板内面中央に設けられる小凹部で、互いに係合可能な位置・サイズである。これらの凹凸部は当接板に対する外部ストローの位置保持を高めるためのもので、外部ストローを立ち上げたときに、小凸部は小凹部にはまり込んで外部ストローの倒れや位置ずれを防止する効果がある。
１７は蛇腹封入部で、紙もしくは薄合成樹脂をもちいて当接板、回動板、外部ストロー先端部を覆うように、容器本体上面にその周囲が貼着されるもので、必要個所を衛生的に保つとともに、飲用中止時における飲料の漏れに対しても有効である。
１８は外部ストロー先端部下部を貫通する軸で、その両端はやや外に張り出している。
１９は軸受け部で、前記の軸の両端を支える位置の容器外面に固着される筒状体である。
この軸は外部ストロー回動時の回動中心となり、スムースな回動が可能となる。
なお、既述のフィルムによる外部ストローと容器本体の接続以外に、外部ストローの先端下部を長く舌状に伸ばして折曲し、この折曲部分を容器上面に貼着して外部ストローの回動中心としてもよい。【０００９】  本発明の概要については既述したが、本発明は内外部のストローをワンタッチで連通可能とするところにその特徴がある。従来方式は種々の作業を経て飲用可能となるのに対し、本発明は既述の構成によってきわめて簡単な作業にて飲用することができるのであり、利便性に富む飲料容器を得ることができる。
なお、本実施形態では内部ストローを断面略半円形としたが、これに限らず断面角形その他の形状としてもよい。また回動体を円板状以外の近似の形状としてもよい。
さらに本例で使用した三角歯周設以外に、例えば外部ストロー先端を斜方に切除して、この切除部にて内部シーリングを破壊する方式とすることもできる。また、外部ストロー後端とその対応する容器外面に小凹凸を設けて、飲用休止時の外部ストローの安定を図るよう構成してもよい。
以上のごとく、本発明により簡単な操作にて飲用することのできる飲料容器を得ることができる。
【図面の簡単な説明】
【００１０】
【図１】従来例の飲料容器平面図
【図２】従来例の飲料容器正面図
【図３】本発明の平面図（一部略）
【図４】本発明の正面図（一部略）
【図５】Ａ−Ａ断面図
【図６】本発明の要部構造説明図（側面視・一部略）
【図７】本発明の内部ストロー貼着説明図
【図８】本発明の他例による要部構造拡大説明図
【図９】本発明の使用状態説明図
【図１０】本発明の他例を示す部分正面図
【符号の説明】
【００１１】１    容器本体
２    内部シーリング
３    ストロー口
４    当接板
５    回動板
６    歯部
７    接続板
８    外部ストロー
９    接続フィルム
１０  封入紙
１１  内部ストロー
１２  蛇腹部
１３  封入紙
１４  伸縮ストロー
１５  小凸部
１６  小凹部
１７  蛇腹封入部
１８  軸
１９  軸受け部
【図１】
2005170504.tif 000003
【図２】
2005170504.tif 000004
【図３】
2005170504.tif 000005
【図４】
2005170504.tif 000006
【図５】
2005170504.tif 000007
【図６】
2005170504.tif 000008
【図７】
2005170504.tif 000009
【図８】
2005170504.tif 000010
【図９】
2005170504.tif 000011
【図１０】
2005170504.tif 000012